【手続補正書】
【提出日】平成27年8月17日(2015.8.17)
【手続補正１】
【補正対象書類名】特許請求の範囲
【補正対象項目名】全文
【補正方法】変更
【補正の内容】
【特許請求の範囲】
【請求項１】
支持体、該支持体上に形成された下引き層、および該下引き層上に形成された感光層を有する電子写真感光体において、
該下引き層が下記式（Ｃ１）で示される構造を有する硬化物、または下記式（Ｃ２）で示される構造を有する硬化物を含有することを特徴とする電子写真感光体。
【化１】
2014029484.tif 000001
（式（Ｃ１）および式（Ｃ２）中、Ｒ１１〜Ｒ１６およびＲ２２〜Ｒ２５は、それぞれ独立に、水素原子、メチレン基、−ＣＨ２ＯＲ２（Ｒ２は、水素原子または炭素数が１〜１０のアルキル基を示す。）で示される１価の基、下記式（ｉ）で示される構造を有する樹脂、または下記式（ｉｉ）で示される基を示す。Ｒ２１は、アルキル基、フェニル基、またはアルキル置換フェニル基を示す。
但し、Ｒ１１〜Ｒ１６の少なくとも１つは下記式（ｉ）で示される構造を有する樹脂であり、Ｒ１１〜Ｒ１６の少なくとも１つは下記式（ｉｉ）で示される基である。また、Ｒ２２〜Ｒ２５の少なくとも１つは下記式（ｉ）で示される構造を有する樹脂であり、Ｒ２２〜Ｒ２５の少なくとも１つは下記式（ｉｉ）で示される基である。）
【化２】
2014029484.tif 000002
（式（ｉ）中、Ｒ６１は、水素原子またはアルキル基を示す。Ｙ１は、単結合、アルキレン基またはフェニレン基を示す。Ｄ１は、下記式（Ｄ１）〜（Ｄ４）のいずれか示される２価の基を示す。＊は、上記式（Ｃ１）のＮ、または上記式（Ｃ２）のＮに結合する側を表す。）
【化３】
2014029484.tif 000003
【化４】
2014029484.tif 000004
（式（ｉｉ）中、Ｄ２は、前記式（Ｄ１）〜（Ｄ４）のいずれかで示される２価の基を示す。
αは、主鎖の原子数が１〜６のアルキレン基、炭素数が１〜６のアルキル基で置換された主鎖の原子数が１〜６のアルキレン基、ベンジル基で置換された主鎖の原子数１〜６のアルキレン基、アルコキシカルボニル基で置換された主鎖の原子数１〜６のアルキレン基、またはフェニル基で置換された主鎖の原子数が１〜６のアルキレン基を示す。アルキレン基の主鎖中の炭素原子の１つは、Ｏ、Ｓ、ＮＨまたはＮＲ１（Ｒ１は、炭素数が１〜６のアルキル基を示す。）で置き換わっていてもよい。
βは、フェニレン基、炭素数が１〜６のアルキル置換フェニレン基、ニトロ置換フェニレン基、またはハロゲン置換フェニレン基を示す。
γは、主鎖の原子数が１〜６のアルキレン基、または炭素数が１〜６のアルキル基で置換された主鎖の原子数が１〜６のアルキレン基を示す。
ｌ、ｍおよびｎは、それぞれ独立に、０または１である。
Ａ１は、下記式（Ａ１）〜（Ａ９）のいずれかで示される２価の基である。＊は、上記式（Ｃ１）のＮ、または上記式（Ｃ２）のＮに結合する側を表す。）
【化５】
2014029484.tif 000005
（式（Ａ１）〜（Ａ９）中、Ｒ１０１〜Ｒ１０６の２つ、Ｒ２０１〜Ｒ２１０の２つ、Ｒ３０１〜Ｒ３０８の２つ、Ｒ４０１〜Ｒ４０８の２つ、Ｒ５０１〜Ｒ５１０の２つ、Ｒ６０１〜Ｒ６０６の２つ、Ｒ７０１〜Ｒ７０８の２つ、Ｒ８０１〜Ｒ８１０の２つ、およびＲ９０１〜Ｒ９０８の２つは、単結合を示す。
その他のＲ１０１〜Ｒ１０６、Ｒ２０１〜Ｒ２１０、Ｒ３０１〜Ｒ３０８、Ｒ４０１〜Ｒ４０８、Ｒ５０１〜Ｒ５１０、Ｒ６０１〜Ｒ６０６、Ｒ７０１〜Ｒ７０８、Ｒ８０１〜Ｒ８１０、およびＲ９０１〜Ｒ９０８は、それぞれ独立に、水素原子、シアノ基、ニトロ基、ハロゲン原子、アルコキシカルボニル基、カルボキシル基、ジアルキルアミノ基、ヒドロキシ基、置換もしくは無置換のアルキル基、置換もしくは無置換のアリール基、または置換もしくは無置換の複素環基を示す。該置換のアルキル基の置換基としては、アルキル基、アリール基、ハロゲン原子、カルボニル基である。該置換のアリール基または該置換の複素環基の置換基としては、ハロゲン原子、ニトロ基、シアノ基、アルキル基、ハロゲン置換アルキル基、アルコキシ基、カルボニル基である。
Ｚ２０１、Ｚ３０１、Ｚ４０１およびＺ５０１は、それぞれ独立に、炭素原子、窒素原子、または酸素原子を示す。Ｚ２０１が酸素原子である場合はＲ２０９およびＲ２１０は存在せず、Ｚ２０１が窒素原子である場合はＲ２１０は存在しない。Ｚ３０１が酸素原子である場合はＲ３０７およびＲ３０８は存在せず、Ｚ３０１が窒素原子である場合はＲ３０８は存在しない。Ｚ４０１が酸素原子である場合はＲ４０７およびＲ４０８は存在せず、Ｚ４０１が窒素原子である場合はＲ４０８は存在しない。Ｚ５０１が酸素原子である場合はＲ５０９およびＲ５１０は存在せず、Ｚ５０１が窒素原子である場合はＲ５１０は存在しない。）
【請求項２】
前記式（ｉｉ）中、
αは、主鎖の原子数が１〜６のアルキレン基、炭素数が１〜６のアルキル基で置換された主鎖の原子数が１〜６のアルキレン基、ベンジル基で置換された主鎖の原子数１〜６のアルキレン基、アルコキシカルボニル基で置換された主鎖の原子数１〜６のアルキレン基、またはフェニル基で置換された主鎖の原子数が１〜６のアルキレン基であり、
該アルキレン基の主鎖中の炭素原子の１つは、Ｏ、ＮＨまたはＮＲ１で置き換わっていてもよいことを特徴とする請求項１に記載の電子写真感光体。
【請求項３】
前記式（ｉｉ）中、Ａ１以外の主鎖の原子数が、２以上９以下である請求項１または２に記載の電子写真感光体。
【請求項４】
前記式（ｉｉ）中、αが、炭素数が１〜４のアルキル基で置換された主鎖の原子数が１から５のアルキレン基、または主鎖の原子数が１から５のアルキレン基である請求項１から３のいずれか１項に記載の電子写真感光体。
【請求項５】
前記式（ｉｉ）中、βが、フェニレン基である請求項１から４のいずれか１項に記載の電子写真感光体。
【請求項６】
支持体、該支持体上に形成された下引き層、および該下引き層上に形成された感光層を有する電子写真感光体において、
該下引き層が下記式（Ｃ１）で示される構造を有する硬化物、または下記式（Ｃ２）で示される構造を有する硬化物を含有することを特徴とする電子写真感光体。
【化６】
2014029484.tif 000006
（式（Ｃ１）および式（Ｃ２）中、Ｒ１１〜Ｒ１６およびＲ２２〜Ｒ２５は、それぞれ独立に、水素原子、メチレン基、−ＣＨ２ＯＲ２（Ｒ２は、水素原子または炭素数が１〜１０のアルキル基を示す。）で示される１価の基、下記式（ｉ）で示される構造を有する樹脂、または下記式（ｉｉ）で示される基を示す。Ｒ２１は、アルキル基、フェニル基、またはアルキル置換フェニル基を示す。
但し、Ｒ１１〜Ｒ１６の少なくとも１つは下記式（ｉ）で示される構造を有する樹脂であり、Ｒ１１〜Ｒ１６の少なくとも１つは下記式（ｉｉ）で示される基である。また、Ｒ２２〜Ｒ２５の少なくとも１つは下記式（ｉ）で示される構造を有する樹脂であり、Ｒ２２〜Ｒ２５の少なくとも１つは下記式（ｉｉ）で示される基である。）
【化７】
2014029484.tif 000007
（式（ｉ）中、Ｒ６１は、水素原子またはアルキル基を示す。Ｙ１は、単結合、アルキレン基またはフェニレン基を示す。Ｄ１は、下記式（Ｄ１）〜（Ｄ４）のいずれか示される２価の基を示す。＊は、上記式（Ｃ１）のＮ、または上記式（Ｃ２）のＮに結合する側を表す。）
【化８】
2014029484.tif 000008
【化９】
2014029484.tif 000009
（式（ｉｉ）中、Ｄ２は、前記式（Ｄ１）〜（Ｄ４）のいずれかで示される２価の基を示す。
αは、主鎖の原子数が１〜６のアルキレン基、炭素数が１〜６のアルキル基で置換された主鎖の原子数が１〜６のアルキレン基、ベンジル基で置換された主鎖の原子数１〜６のアルキレン基、アルコキシカルボニル基で置換された主鎖の原子数１〜６のアルキレン基、またはフェニル基で置換された主鎖の原子数が１〜６のアルキレン基を示す。アルキレン基の主鎖中の炭素原子の１つは、Ｏ、Ｓ、ＮＨまたはＮＲ１（Ｒ１は、炭素数が１〜６のアルキル基を示す。）で置き換わっていてもよい。
βは、フェニレン基、炭素数が１〜６のアルキル置換フェニレン基、ニトロ置換フェニレン基、またはハロゲン置換フェニレン基を示す。
γは、主鎖の原子数が１〜６のアルキレン基、または炭素数が１〜６のアルキル基で置換された主鎖の原子数が１〜６のアルキレン基を示す。
ｌ、ｍおよびｎは、それぞれ独立に、０または１である。
Ａ１は、下記式（Ａ１）〜（Ａ９）のいずれかで示される基である。＊は、上記式（Ｃ１）のＮ、または上記式（Ｃ２）のＮに結合する側を表す。）
【化１０】
2014029484.tif 000010
（式（Ａ１）〜（Ａ９）中、Ｒ１０１〜Ｒ１０６の１つ、Ｒ２０１〜Ｒ２１０の１つ、Ｒ３０１〜Ｒ３０８の１つ、Ｒ４０１〜Ｒ４０８の１つ、Ｒ５０１〜Ｒ５１０の１つ、Ｒ６０１〜Ｒ６０６の１つ、Ｒ７０１〜Ｒ７０８の１つ、Ｒ８０１〜Ｒ８１０の１つ、およびＲ９０１〜Ｒ９０８の１つは、単結合を示す。その他のＲ１０１〜Ｒ１０６、Ｒ２０１〜Ｒ２１０、Ｒ３０１〜Ｒ３０８、Ｒ４０１〜Ｒ４０８、Ｒ５０１〜Ｒ５１０、Ｒ６０１〜Ｒ６０６、Ｒ７０１〜Ｒ７０８、Ｒ８０１〜Ｒ８１０、およびＲ９０１〜Ｒ９０８は、それぞれ独立に、水素原子、シアノ基、ニトロ基、ハロゲン原子、アルコキシカルボニル基、カルボキシル基、ジアルキルアミノ基、ヒドロキシ基、置換もしくは無置換のアルキル基、置換もしくは無置換のアリール基、または置換もしくは無置換の複素環基を示す。該置換のアルキル基の置換基としては、アルキル基、アリール基、ハロゲン原子、カルボニル基である。該置換のアリール基または該置換の複素環基の置換基としては、ハロゲン原子、ニトロ基、シアノ基、アルキル基、ハロゲン置換アルキル基、アルコキシ基、カルボニル基である。
Ｚ２０１、Ｚ３０１、Ｚ４０１およびＺ５０１は、それぞれ独立に、炭素原子、窒素原子、または酸素原子を示す。Ｚ２０１が酸素原子である場合はＲ２０９およびＲ２１０は存在せず、Ｚ２０１が窒素原子である場合はＲ２１０は存在しない。Ｚ３０１が酸素原子である場合はＲ３０７およびＲ３０８は存在せず、Ｚ３０１が窒素原子である場合はＲ３０８は存在しない。Ｚ４０１が酸素原子である場合はＲ４０７およびＲ４０８は存在せず、Ｚ４０１が窒素原子である場合はＲ４０８は存在しない。Ｚ５０１が酸素原子である場合はＲ５０９およびＲ５１０は存在せず、Ｚ５０１が窒素原子である場合はＲ５１０は存在しない。）
【請求項７】
請求項１から６のいずれか１項に記載の電子写真感光体と、帯電手段、現像手段、転写手段およびクリーニング手段からなる群より選択される少なくとも１つの手段とを一体に支持し、電子写真装置本体に着脱自在であるプロセスカートリッジ。
【請求項８】
請求項１から６のいずれか１項に記載の電子写真感光体と、帯電手段、露光手段、現像手段および転写手段を有する電子写真装置。
【手続補正２】
【補正対象書類名】明細書
【補正対象項目名】００１２
【補正方法】変更
【補正の内容】
【００１２】
式（Ｃ１）および式（Ｃ２）中、Ｒ１１〜Ｒ１６およびＲ２２〜Ｒ２５は、それぞれ独立に、水素原子、メチレン基、−ＣＨ２ＯＲ２で示される１価の基、下記式（ｉ）で示される構造を有する樹脂、または下記式（ｉｉ）で示される基を示す。Ｒ２１は、アルキル基、フェニル基、またはアルキル置換フェニル基を示す。
但し、Ｒ１１〜Ｒ１６の少なくとも１つは下記式（ｉ）で示される構造を有する樹脂であり、Ｒ１１〜Ｒ１６の少なくとも１つは下記式（ｉｉ）で示される基である。Ｒ２は、水素原子または炭素数が１〜１０のアルキル基を示す。
また、Ｒ２２〜Ｒ２５の少なくとも１つは下記式（ｉ）で示される構造を有する樹脂であり、Ｒ２２〜Ｒ２５の少なくとも１つは下記式（ｉｉ）で示される基である。
【手続補正３】
【補正対象書類名】明細書
【補正対象項目名】００１９
【補正方法】変更
【補正の内容】
【００１９】
式（Ａ１）から（Ａ９）中、Ｒ１０１〜Ｒ１０６の２つ、Ｒ２０１〜Ｒ２１０の２つ、Ｒ３０１〜Ｒ３０８の２つ、Ｒ４０１〜Ｒ４０８の２つ、Ｒ５０１〜Ｒ５１０の２つ、Ｒ６０１〜Ｒ６０６の２つ、Ｒ７０１〜Ｒ７０８の２つ、Ｒ８０１〜Ｒ８１０の２つ、およびＲ９０１〜Ｒ９０８の２つは、単結合を示す。その他のＲ１０１〜Ｒ１０６、Ｒ２０１〜Ｒ２１０、Ｒ３０１〜Ｒ３０８、Ｒ４０１〜Ｒ４０８、Ｒ５０１〜Ｒ５１０、Ｒ６０１〜Ｒ６０６、Ｒ７０１〜Ｒ７０８、Ｒ８０１〜Ｒ８１０，およびＲ９０１〜Ｒ９０８は、それぞれ独立に、水素原子、シアノ基、ニトロ基、ハロゲン原子、アルコキシカルボニル基、カルボキシル基、ジアルキルアミノ基、ヒドロキシ基、置換もしくは無置換のアルキル基、置換もしくは無置換のアリール基、または置換もしくは無置換の複素環基を示す。該置換のアルキル基の置換基としては、アルキル基、アリール基、ハロゲン原子、カルボニル基である。該置換のアリール基または該置換の複素環基の置換基としては、ハロゲン原子、ニトロ基、シアノ基、アルキル基、ハロゲン置換アルキル基、アルコキシ基、カルボニル基である。Ｚ２０１、Ｚ３０１、Ｚ４０１、Ｚ５０１は、それぞれ独立に、炭素原子、窒素原子、または酸素原子を示す。Ｚ２０１が酸素原子である場合はＲ２０９およびＲ２１０は存在せず、Ｚ２０１が窒素原子である場合はＲ２１０は存在しない。Ｚ３０１が酸素原子である場合はＲ３０７およびＲ３０８は存在せず、Ｚ３０１が窒素原子である場合はＲ３０８は存在しない。Ｚ４０１が酸素原子である場合はＲ４０７およびＲ４０８は存在せず、Ｚ４０１が窒素原子である場合はＲ４０８は存在しない。Ｚ５０１が酸素原子である場合はＲ５０９およびＲ５１０は存在せず、Ｚ５０１が窒素原子である場合はＲ５１０は存在しない。
また、本発明は、支持体、該支持体上に形成された下引き層、および該下引き層上に形成された感光層を有する電子写真感光体において、
該下引き層が下記式（Ｃ１）で示される構造を有する硬化物、または下記式（Ｃ２）で示される構造を有する硬化物を含有することを特徴とする電子写真感光体に関する。
【化１１】
2014029484.tif 000011
（式（Ｃ１）および式（Ｃ２）中、Ｒ１１〜Ｒ１６およびＲ２２〜Ｒ２５は、それぞれ独立に、水素原子、メチレン基、−ＣＨ２ＯＲ２（Ｒ２は、水素原子または炭素数が１〜１０のアルキル基を示す。）で示される１価の基、下記式（ｉ）で示される構造を有する樹脂、または下記式（ｉｉ）で示される基を示す。Ｒ２１は、アルキル基、フェニル基、またはアルキル置換フェニル基を示す。
但し、Ｒ１１〜Ｒ１６の少なくとも１つは下記式（ｉ）で示される構造を有する樹脂であり、Ｒ１１〜Ｒ１６の少なくとも１つは下記式（ｉｉ）で示される基である。また、Ｒ２２〜Ｒ２５の少なくとも１つは下記式（ｉ）で示される構造を有する樹脂であり、Ｒ２２〜Ｒ２５の少なくとも１つは下記式（ｉｉ）で示される基である。）
【化１２】
2014029484.tif 000012
（式（ｉ）中、Ｒ６１は、水素原子またはアルキル基を示す。Ｙ１は、単結合、アルキレン基またはフェニレン基を示す。Ｄ１は、下記式（Ｄ１）〜（Ｄ４）のいずれか示される２価の基を示す。＊は、上記式（Ｃ１）のＮ、または上記式（Ｃ２）のＮに結合する側を表す。）
【化１３】
2014029484.tif 000013
【化１４】
2014029484.tif 000014
（式（ｉｉ）中、Ｄ２は、前記式（Ｄ１）〜（Ｄ４）のいずれかで示される２価の基を示す。
αは、主鎖の原子数が１〜６のアルキレン基、炭素数が１〜６のアルキル基で置換された主鎖の原子数が１〜６のアルキレン基、ベンジル基で置換された主鎖の原子数１〜６のアルキレン基、アルコキシカルボニル基で置換された主鎖の原子数１〜６のアルキレン基、またはフェニル基で置換された主鎖の原子数が１〜６のアルキレン基を示す。アルキレン基の主鎖中の炭素原子の１つは、Ｏ、Ｓ、ＮＨまたはＮＲ１（Ｒ１は、炭素数が１〜６のアルキル基を示す。）で置き換わっていてもよい。
βは、フェニレン基、炭素数が１〜６のアルキル置換フェニレン基、ニトロ置換フェニレン基、またはハロゲン置換フェニレン基を示す。
γは、主鎖の原子数が１〜６のアルキレン基、または炭素数が１〜６のアルキル基で置換された主鎖の原子数が１〜６のアルキレン基を示す。
ｌ、ｍおよびｎは、それぞれ独立に、０または１である。
Ａ１は、下記式（Ａ１）〜（Ａ９）のいずれかで示される基である。＊は、上記式（Ｃ１）のＮ、または上記式（Ｃ２）のＮに結合する側を表す。）
【化１５】
2014029484.tif 000015
（式（Ａ１）〜（Ａ９）中、Ｒ１０１〜Ｒ１０６の１つ、Ｒ２０１〜Ｒ２１０の１つ、Ｒ３０１〜Ｒ３０８の１つ、Ｒ４０１〜Ｒ４０８の１つ、Ｒ５０１〜Ｒ５１０の１つ、Ｒ６０１〜Ｒ６０６の１つ、Ｒ７０１〜Ｒ７０８の１つ、Ｒ８０１〜Ｒ８１０の１つ、およびＲ９０１〜Ｒ９０８の１つは、単結合を示す。その他のＲ１０１〜Ｒ１０６、Ｒ２０１〜Ｒ２１０、Ｒ３０１〜Ｒ３０８、Ｒ４０１〜Ｒ４０８、Ｒ５０１〜Ｒ５１０、Ｒ６０１〜Ｒ６０６、Ｒ７０１〜Ｒ７０８、Ｒ８０１〜Ｒ８１０、およびＲ９０１〜Ｒ９０８は、それぞれ独立に、水素原子、シアノ基、ニトロ基、ハロゲン原子、アルコキシカルボニル基、カルボキシル基、ジアルキルアミノ基、ヒドロキシ基、置換もしくは無置換のアルキル基、置換もしくは無置換のアリール基、または置換もしくは無置換の複素環基を示す。該置換のアルキル基の置換基としては、アルキル基、アリール基、ハロゲン原子、カルボニル基である。該置換のアリール基または該置換の複素環基の置換基としては、ハロゲン原子、ニトロ基、シアノ基、アルキル基、ハロゲン置換アルキル基、アルコキシ基、カルボニル基である。
Ｚ２０１、Ｚ３０１、Ｚ４０１およびＺ５０１は、それぞれ独立に、炭素原子、窒素原子、または酸素原子を示す。Ｚ２０１が酸素原子である場合はＲ２０９およびＲ２１０は存在せず、Ｚ２０１が窒素原子である場合はＲ２１０は存在しない。Ｚ３０１が酸素原子である場合はＲ３０７およびＲ３０８は存在せず、Ｚ３０１が窒素原子である場合はＲ３０８は存在しない。Ｚ４０１が酸素原子である場合はＲ４０７およびＲ４０８は存在せず、Ｚ４０１が窒素原子である場合はＲ４０８は存在しない。Ｚ５０１が酸素原子である場合はＲ５０９およびＲ５１０は存在せず、Ｚ５０１が窒素原子である場合はＲ５１０は存在しない。）